(57)【要約】【課題】  回路基板側の電極間ピッチに導電路間ピッチを容易に合わせることができる回路基板相互接続用コネクタ装置を得る。【解決手段】  直方体状の絶縁基体上に絶縁間隔を隔てて複数の導電路１７を設けた直方体状接続子９と、直方体状接続子９を収容した状態で第１の回路基板１に取り付けるコネクタハウジング１１とを具備する。コネクタハウジング１１は、直方体状接続子９の導電路１７の部分を、第１の回路基板１に設けた第１の接続用電極に電気的に接続する。第２の回路基板５の第２の接続用電極を設けた基板部分をコネクタハウジング１１の基板部分導入口１９から挿入し、直方体状接続子９の導電路の部分と第２の回路基板５の第２の接続用電極を接触させる。【選択図】    図２
2008091163.tif 000002
【特許請求の範囲】
【請求項１】
表面に所定の電極間ピッチを持って形成された複数の第１の接続用電極が並設されている第１の回路基板の前記複数の第１の接続用電極と、表面に所定の電極間ピッチを持って形成された複数の第２の接続用電極が並設されている第２の回路基板の前記複数の第２の接続用電極とを電気的に接続するために用いられる回路基板相互接続用コネクタ装置であって、
連続する四面と対向する二面を有する直方体状の絶縁基体と、前記絶縁基体の前記連続する四面中の少なくとも連続する三面上に、前記対向する二面が並ぶ方向に所定の絶縁間隔を隔てて並設された複数の導電路とを備え、前記複数の導電路間の導電路間ピッチが前記電極間ピッチと実質的に等しくなるように設けられている直方体状接続子と、
前記直方体状接続子を収容した状態で前記第１の回路基板に取り付けられるコネクタハウジングとを具備し、
前記コネクタハウジングは、
前記直方体状接続子の前記連続する三面のうちの対向する二面の一方の面上に設けられた前記複数の導電路の部分が、前記第１の回路基板に設けられた前記複数の第１の接続用電極に電気的に接続されることを許容し、
前記第２の回路基板の前記複数の第２の接続用電極が設けられた基板部分を受け入れて、前記直方体状接続子の前記連続する三面のうちの対向する前記二面の他方の面上に設けられた前記複数の導電路の部分と前記複数の第２の接続用電極とが対向する位置で前記基板部分を保持し、
さらに前記他方の面上に設けられた前記複数の導電路の部分に前記複数の第２の接続用電極を接触させる構造を有していることを特徴とする回路基板相互接続用コネクタ装置。
【請求項２】
表面に所定の電極間ピッチを持って形成された複数の第１の接続用電極が並設されている第１の回路基板の前記複数の第１の接続用電極と、表面に所定の電極間ピッチを持って形成された複数の第２の接続用電極が並設されている第２の回路基板の前記複数の第２の接続用電極とを電気的に接続するために用いられる回路基板相互接続用コネクタ装置であって、
連続する四面と対向する二面を有する直方体状の絶縁基体と、前記絶縁基体の前記連続する四面中の少なくとも連続する二面上に、前記対向する二面が並ぶ方向に所定の絶縁間隔を隔てて並設された複数の導電路とを備え、前記複数の導電路間の導電路間ピッチが前記電極間ピッチと実質的に等しくなるように設けられている直方体状接続子と、
前記直方体状接続子を収容した状態で前記第１の回路基板に取り付けられるコネクタハウジングとを具備し、
前記コネクタハウジングは、
前記直方体状接続子の前記連続する二面のうちの一方の面上に設けられた前記複数の導電路の部分が、前記第１の回路基板に設けられた前記複数の第１の接続用電極に電気的に接続されることを許容し、
前記第２の回路基板の前記複数の第２の接続用電極が設けられた基板部分を受け入れて、前記直方体状接続子の前記連続する二面のうちの他方の面上に設けられた前記複数の導電路の部分と前記複数の第２の接続用電極とが対向する位置で前記基板部分を保持し、
さらに前記他方の面上に設けられた前記複数の導電路の部分に前記複数の第２の接続用電極を接触させる構造を有していることを特徴とする回路基板相互接続用コネクタ装置。
【請求項３】
表面に所定の第１の電極間ピッチを持って形成された複数の第１の接続用電極が並設されている第１の回路基板の前記複数の第１の接続用電極と、表面に０．２ｍｍ以下で前記第１の電極間ピッチとは異なる第２の電極間ピッチを持って形成された複数の第２の接続用電極が並設されている第２の回路基板の前記複数の第２の接続用電極とを電気的に接続するために用いられる回路基板相互接続用コネクタ装置であって、
連続する四面と対向する二面を有する直方体状の絶縁基体と、前記絶縁基体の前記連続する四面中の少なくとも連続する三面上に、前記対向する二面が並ぶ方向にそれぞれ絶縁間隔を隔てて並設された複数の導電路とを備え、前記複数の導電路は前記連続する三面上の対向する二面の一方の面上に前記第１の電極間ピッチに相当する第１の導電路間ピッチを持って形成された複数の第１の導電路部分を有し、また前記複数の導電路は前記連続する三面上の対向する二面の他方の面上に前記第２の電極間ピッチに相当する第２の導電路間ピッチを持って形成された複数の第２の導電路部分を有し、さらに前記複数の導電路は前記連続する三面上の残りの一面上には、前記複数の第１の導電路部分と前記複数の第２の導電路部分とをそれぞれ結ぶピッチ変換用の複数の第３の導電路部分を有するように形成されている直方体状接続子と、
前記直方体状接続子を収容した状態で前記第１の回路基板に取り付けられるコネクタハウジングとを具備し、
前記コネクタハウジングは、
前記直方体状接続子の前記連続する三面のうちの対向する二面の一方の面上に設けられた前記複数の導電路の部分が、前記第１の回路基板に設けられた前記複数の第１の接続用電極に電気的に接続されることを許容し、
前記第２の回路基板の前記複数の第２の接続用電極が設けられた基板部分を受け入れて、前記直方体状接続子の前記連続する三面のうちの対向する前記二面の他方の面上に設けられた前記複数の導電路の部分と前記複数の第２の接続用電極とが対向する位置で前記基板部分を保持し、
さらに前記他方の面上に設けられた前記複数の導電路の部分に前記複数の第２の接続用電極を接触させる構造を有していることを特徴とする回路基板相互接続用コネクタ装置。
【請求項４】
表面に所定の電極間ピッチを持って形成された複数の第１の接続用電極が並設されている第１の回路基板の前記複数の第１の接続用電極と、表面に所定の電極間ピッチを持って形成された複数の第２の接続用電極が並設されている第２の回路基板の前記複数の第２の接続用電極とを電気的に接続するために用いられる回路基板相互接続用コネクタ装置であって、
円柱状をなしていて円筒状周面と対向する二面を有する絶縁基体と、前記絶縁基体の円筒状周面上に、前記対向する二面が並ぶ方向に所定の絶縁間隔を隔てて並設された環状の複数の導電路とを備え、前記複数の導電路間の導電路間ピッチが前記電極間ピッチと実質的に等しくなるように設けられている円柱状接続子と、
前記円柱状接続子を収容した状態で前記第１の回路基板に取り付けられるコネクタハウジングとを具備し、
前記コネクタハウジングは、
前記円柱状接続子の前記円筒状周面上に設けられた前記複数の導電路の部分が、前記第１の回路基板に設けられた前記複数の第１の接続用電極に電気的に接続されることを許容し、
前記第２の回路基板の前記複数の第２の接続用電極が設けられた基板部分を受け入れて、前記円柱状接続子の前記円筒状周面上に設けられた前記複数の導電路の部分と前記複数の第２の接続用電極とが対向する位置で前記基板部分を保持し、
さらに前記複数の導電路の部分に前記複数の第２の接続用電極を接触させる構造を有していることを特徴とする回路基板相互接続用コネクタ装置。
【請求項５】
前記コネクタハウジングは、前記接続子の前記一方の面を露出させた状態で前記接続子を収容する第１の収容室と、前記第１の収容室と連通するように形成されて前記基板部分を収容する第２の収容室と、外部から前記第２の収容室に前記基板部分を導入する基板部分導入口とを有するハウジング本体と、
前記第２の収納室内に収納されて、前記基板部分を前記接続子に向かって押し付ける押圧手段とを備えている請求項１乃至４のいずれか１項に記載の回路基板相互接続用コネクタ装置。
【請求項６】
前記押圧手段は、バネ力または弾性力により前記基板部分を前記接続子に向かって押し付けるように構成されている請求項５に記載の回路基板相互接続用コネクタ装置。
【請求項７】
表面に所定の電極間ピッチを持って並設された複数の第１の接続用電極を有する第１の回路基板の前記複数の第１の接続用電極と、表面に所定の電極間ピッチを持って並設された複数の第２の接続用電極を有する第２の回路基板の前記複数の第２の接続用電極とを電気的に接続するために用いられる回路基板相互接続用コネクタ装置であって、
前記電極間ピッチと実質的に等しい導電路間ピッチを持って形成されて前記複数の第１の接続用電極と接続される複数の第１の導電路を有する第１の接続子を備えた雄型コネクタ部材と、
前記電極間ピッチと実質的に等しい導電路間ピッチを持って形成されて前記複数の第２の接続用電極と接続される複数の第２の導電路を有する第２の接続子を備えた雌型コネクタ部材とを有し、
前記雄型コネクタ部材と前記雌型コネクタ部材とは、前記雄型コネクタ部材が前記雌型コネクタ部材に嵌合されたときに、前記第１の接続子の前記複数の第１の導電路の一部と前記第２の接続子の前記複数の第２の導電路の一部とがそれぞれ接触するように構成されており、
前記第１の接続子は、連続する四面と対向する二面を有する直方体状の絶縁基体と、前記絶縁基体の前記連続する四面中の少なくとも連続する二面上に、前記対向する二面が並ぶ方向に所定の絶縁間隔を隔てて並設された前記複数の第１の導電路とを備えた構造を有しており、前記少なくとも連続する二面のうちの一面に形成された前記複数の第１の導電路の一部が前記第１の接続用電極に接続されており、
前記雄型コネクタ部材は、前記第１の接続子の前記絶縁基体の前記連続する二面のうちの残りの一面上に形成された前記複数の第１の導電路の一部が、前記雌型コネクタ部材の前記複数の第２の導電路と接触する複数の第１の接触部分を形成するように構成されており、
前記第２の接続子は、連続する四面と対向する二面を有する直方体状の絶縁基体と、前記絶縁基体の前記連続する四面中の少なくとも連続する二面上に、前記対向する二面が並ぶ方向に所定の絶縁間隔を隔てて並設された前記複数の第２の導電路とを備えた構造を有しており、前記連続する二面のうちの一面に形成された前記複数の第２の導電路の一部が前記複数の第２の接続用電極に接続されており、
前記雌型コネクタ部材は、前記第２の接続子の前記絶縁基体の前記連続する二面のうちの残りの一面上に形成された前記複数の第２の導電路の一部が、前記雄型コネクタ部材の前記複数の第１の接触部分と接触する複数の第２の接触部分を形成するように構成されており、
前記雄型コネクタ部材が前記雌型コネクタ部材に嵌合された状態で、前記複数の第１の接触部分と前記複数の第２の接触部分とが接触状態になっていることを特徴とする回路基板相互接続用コネクタ装置。
【請求項８】
表面に所定の電極間ピッチを持って並設された複数の第１の接続用電極を有する第１の回路基板の前記複数の第１の接続用電極と、表面に所定の電極間ピッチを持って並設された複数の第２の接続用電極を有する第２の回路基板の前記複数の第２の接続用電極とを電気的に接続するために用いられる回路基板相互接続用コネクタ装置であって、
前記電極間ピッチと実質的に等しい導電路間ピッチを持って形成されて前記複数の第１の接続用電極と接続される複数の第１の導電路を有する第１の接続子を備えた雄型コネクタ部材と、
前記電極間ピッチと実質的に等しい導電路間ピッチを持って形成されて前記複数の第２の接続用電極と接続される複数の第２の導電路を有する第２の接続子と、前記電極間ピッチと実質的に等しい導電路間ピッチを持って形成されて前記複数の第２の接続用電極と接続される複数の第３の導電路を有する第３の接続子とを備えた雌型コネクタ部材とを有し、
前記雄型コネクタ部材と前記雌型コネクタ部材とは、前記雄型コネクタ部材が前記雌型コネクタ部材に嵌合されたときに、前記第１の接続子の前記複数の第１の導電路の一部と前記第２の接続子の前記複数の第２の導電路の一部及び前記第３の接続子の前記複数の第３の導電路の一部がそれぞれ接触するように構成されており、
前記第１の接続子は、連続する四面と対向する二面を有する直方体状の絶縁基体と、前記絶縁基体の前記連続する四面中の少なくとも連続する三面上に、前記対向する二面が並ぶ方向に所定の絶縁間隔を隔てて並設された前記複数の第１の導電路とを備えた構造を有しており、前記少なくとも連続する三面のうちの中間に位置する一面に形成された前記複数の第１の導電路の一部が前記第１の接続用電極に接続されており、
前記雄型コネクタ部材は、前記第１の接続子の前記絶縁基体の前記連続する三面のうちの残りの二面にそれぞれ形成された前記複数の第１の導電路の一部が、前記雌型コネクタ部材の前記複数の第２の導電路と接触する複数の第１及び第２の接触部分を形成するように構成されており、
前記第２の接続子は、連続する四面と対向する二面を有する直方体状の絶縁基体と、前記絶縁基体の前記連続する四面中の少なくとも連続する二面上に、前記対向する二面が並ぶ方向に所定の絶縁間隔を隔てて並設された前記複数の第２の導電路とを備えた構造を有しており、前記連続する二面のうちの一面に形成された前記複数の第２の導電路の一部が前記複数の第２の接続用電極の一部に接続されており、
前記第３の接続子は、連続する四面と対向する二面を有する直方体状の絶縁基体と、前記絶縁基体の前記連続する四面中の少なくとも連続する二面上に、前記対向する二面が並ぶ方向に所定の絶縁間隔を隔てて並設された前記複数の第３の導電路とを備えた構造を有しており、前記連続する二面のうちの一面に形成された前記複数の第３の導電路の一部が前記複数の第２の接続用電極の一部に接続されており、
前記雌型コネクタ部材は、前記第２の接続子の前記絶縁基体の前記連続する二面のうちの残りの一面上に形成された前記複数の第２の導電路の一部及び前記第３の接続子の前記絶縁基体の前記連続する二面のうちの残りの一面上に形成された前記複数の第３の導電路の一部が、前記雄型コネクタ部材の前記第１及び第２の接触部分と接触する複数の第３及び第４の接触部分を形成するように構成されており、
前記雄型コネクタ部材が前記雌型コネクタ部材に嵌合された状態で、前記複数の第１及び第２の接触部分と前記複数の第３及び第４の接触部分とが接触状態になっていることを特徴とする回路基板相互接続用コネクタ装置。
【発明の詳細な説明】
【技術分野】
【０００１】
本発明は、表面に電極間ピッチを持って並設された複数の第１の接続用電極を有する第１の回路基板の複数の第１の接続用電極と、表面に電極間ピッチを持って並設された複数の第２の接続用電極が並設された第２の回路基板の複数の第２の接続用電極とを電気的に接続するために用いられる回路基板相互接続用コネクタ装置に関するものである。
【背景技術】
【０００２】
従来のこの種の回路基板相互接続用コネクタ装置の導電路間ピッチは、最小でも０．２ｍｍピッチであり、しかも０．４ｍｍピッチのものを互い違いに千鳥配置にして実現できる構造であった（例えば、特許文献１参照。）。
【特許文献１】特開２００４−２６５５９９号公報  図６
【発明の開示】
【発明が解決しようとする課題】
【０００３】
しかしながら、このような構造の回路基板相互接続用コネクタ装置では、回路基板の電極間ピッチが例えば０．０６ｍｍが可能であるにも拘わらず、コネクタ装置の導電路間ピッチが０．２ｍｍ以下に対応できていない現状では、回路基板の電極間ピッチはコネクタ装置の導電路間ピッチによって制限を受ける問題点があった。また、０．２ｍｍの導電路間ピッチのコネクタ装置は、千鳥配置で実現しているため、千鳥配置をするための一方の群の導電路の各接触部と他方の群の導電路の各接触部との間に間隔があき、実装面積が大きくなる問題点があった。
【０００４】
本発明の目的は、回路基板側の電極間ピッチに導電路間ピッチを容易に合わせることができる回路基板相互接続用コネクタ装置を提供することにある。
【０００５】
本発明の他の目的は、回路基板側の電極間ピッチに導電路間ピッチを容易に合わせることができ、しかも接続すべき双方の回路基板の電極間ピッチが異なっていても両者の接続を行わせることができる回路基板相互接続用コネクタ装置を提供することにある。
【０００６】
本発明の更に他の目的は、回路基板側の電極間ピッチに導電路間ピッチを容易に合わせることができ、しかも相互に嵌め合わせて接続できる回路基板相互接続用コネクタ装置を提供することにある。
【課題を解決するための手段】
【０００７】
本発明の回路基板相互接続用コネクタ装置は、基本的に、第１の回路基板の複数の第１の接続用電極と第２の回路基板の複数の第２の接続用電極とを電気的に接続するために用いられるものである。
【０００８】
本発明の回路基板相互接続用コネクタ装置では、第１の回路基板はその表面に所定の電極間ピッチを持って形成された複数の第１の接続用電極が並設されている。第２の回路基板はその表面に所定の電極間ピッチを持って形成された複数の第２の接続用電極が並設されている。
【０００９】
特に本発明の回路基板相互接続用コネクタ装置は、直方体状接続子とコネクタハウジングとを具備する。直方体状接続子は、連続する四面と対向する二面を有する直方体状の絶縁基体と、この絶縁基体の連続する四面中の少なくとも連続する三面上に、対向する二面が並ぶ方向に所定の絶縁間隔を隔てて並設された複数の導電路とを備えている。複数の導電路間の導電路間ピッチは、回路基板の電極間ピッチと実質的に等しくなるように設けられている。コネクタハウジングは、直方体状接続子を収容した状態で第１の回路基板に取り付けられる。このコネクタハウジングは、直方体状接続子の連続する三面のうちの対向する二面の一方の面上に設けられた複数の導電路の部分が、第１の回路基板に設けられた複数の第１の接続用電極に電気的に接続されることを許容するようになっている。また、第２の回路基板の複数の第２の接続用電極が設けられた基板部分を受け入れて、直方体状接続子の連続する三面のうちの対向する二面の他方の面上に設けられた複数の導電路の部分と複数の第２の接続用電極とが対向する位置で基板部分を保持するようになっている。さらに、他方の面上に設けられた複数の導電路の部分に、第２の回路基板に設けられた複数の第２の接続用電極を接触させる構造を有している。
【００１０】
このような構造の回路基板相互接続用コネクタ装置は、連続する四面と対向する二面を有する直方体状の絶縁基体と、この絶縁基体の連続する四面中の少なくとも連続する三面上に、対向する二面が並ぶ方向に所定の絶縁間隔を隔てて並設された複数の導電路とを備えた直方体状接続子を用いるので、この直方体状の絶縁基体に設ける複数の導電路間の導電路間ピッチを、回路基板の電極間ピッチと実質的に等しくなるように容易に設けることができる。このため、回路基板側の電極間ピッチに絶縁基体の表面の導電路間ピッチを容易に合わせることができる。また、絶縁基体の表面の導電路間ピッチは、千鳥配置ではないので間隔が狭くなり、導電路の配列方向に省スペース化が図れて、実装面積を小さくすることができる。それゆえ本発明によれば、小型のコネクタ装置を容易に実現することができる。さらに、このコネクタ装置では、直方体状接続子を収容した状態で第１の回路基板に取り付けられるコネクタハウジングを用い、このコネクタハウジングは、直方体状接続子の連続する三面のうちの対向する二面の一方の面上に設けられた複数の導電路の部分が、第１の回路基板に設けられた複数の第１の接続用電極に電気的に接続されることを許容するようになっており、また、第２の回路基板の複数の第２の接続用電極が設けられた基板部分を受け入れて、直方体状接続子の連続する三面のうちの対向する二面の他方の面上に設けられた複数の導電路の部分と複数の第２の接続用電極とが対向する位置で基板部分を保持するようになっているので、このコネクタハウジングによる位置決め作用で第１の回路基板の複数の第１の接続用電極と第２の回路基板の複数の第２の接続用電極とを容易に電気的に接続することができる。かつまた、直方体状接続子の連続する三面のうちの対向する二面の他方の面上に設けられた複数の導電路の部分に、第２の回路基板の複数の第２の接続用電極を確実に接触させることができる。このタイプの回路基板相互接続用コネクタ装置によれば、第１の回路基板と第２の回路基板とを相互に平行する向きで、これら第１の回路基板と第２の回路基板とを電気的に接続することができる。
【００１１】
また本発明の直方体状接続子とコネクタハウジングとを具備するタイプの回路基板相互接続用コネクタ装置では、次のような構成にすることもできる。
【００１２】
直方体状接続子は、連続する四面と対向する二面を有する直方体状の絶縁基体と、この絶縁基体の連続する四面中の少なくとも連続する二面上に、対向する二面が並ぶ方向に所定の絶縁間隔を隔てて並設された複数の導電路とを備え、複数の導電路間の導電路間ピッチが電極間ピッチと実質的に等しくなるように設けられている。コネクタハウジングは、直方体状接続子を収容した状態で第１の回路基板に取り付けられている。このコネクタハウジングは、直方体状接続子の連続する二面のうちの一方の面上に設けられた複数の導電路の部分が、第１の回路基板に設けられた複数の第１の接続用電極に電気的に接続されることを許容する。第２の回路基板の複数の第２の接続用電極が設けられた基板部分を受け入れて、直方体状接続子の連続する二面のうちの他方の面上に設けられた複数の導電路の部分と複数の第２の接続用電極とが対向する位置で基板部分を保持する。さらに他方の面上に設けられた複数の導電路の部分に、複数の第２の接続用電極を接触させる構造を有している。
【００１３】
このような構造の回路基板相互接続用コネクタ装置にすると、第１の回路基板と第２の回路基板とを相互に直交する向きで、これら第１の回路基板と第２の回路基板とを電気的に接続することができる。その他の効果は、前述した第１の回路基板と第２の回路基板とを相互に平行する向きで接続するタイプのものとほぼ同様である。なお、構成の用語の違い部分は読み替えるものとする。
【００１４】
また本発明の他の回路基板相互接続用コネクタ装置では、第１の回路基板はその表面に所定の第１の電極間ピッチを持って形成された複数の第１の接続用電極が並設されている。第２の回路基板はその表面に第１の電極間ピッチとは異なる第２の電極間ピッチを持って形成された複数の第２の接続用電極が並設されている。
【００１５】
特に本発明の回路基板相互接続用コネクタ装置も、直方体状接続子とコネクタハウジングとを具備する。直方体状接続子は、連続する四面と対向する二面を有する直方体状の絶縁基体と、この絶縁基体の連続する四面中の少なくとも連続する三面上に、対向する二面が並ぶ方向にそれぞれ絶縁間隔を隔てて並設された複数の導電路とを備えている。複数の導電路は、連続する三面上の対向する二面の一方の面上に第１の電極間ピッチに相当する第１の導電路間ピッチを持って形成された複数の第１の導電路部分を有し、また複数の導電路は連続する三面上の対向する二面の他方の面上に第２の電極間ピッチに相当する第２の導電路間ピッチを持って形成された複数の第２の導電路部分を有し、さらに複数の導電路は連続する三面上の残りの一面上には、複数の第１の導電路部分と複数の第２の導電路部分とをそれぞれ結ぶピッチ変換用の複数の第３の導電路部分を有するように形成されている。その他の構成は、前述した電極間ピッチが実質的に等しい第１の回路基板と第２の回路基板とを接続する回路基板相互接続用コネクタ装置と同様になっている。
【００１６】
このような構造の回路基板相互接続用コネクタ装置は、直方体状接続子の複数の導電路が、直方体状接続子の連続する三面上の対向する二面の一方の面上に第１の電極間ピッチに相当する第１の導電路間ピッチを持って形成された複数の第１の導電路部分を有し、また複数の導電路は連続する三面上の対向する二面の他方の面上に第２の電極間ピッチに相当する第２の導電路間ピッチを持って形成された複数の第２の導電路部分を有し、さらに複数の導電路は連続する三面上の残りの一面上には、複数の第１の導電路部分と複数の第２の導電路部分とをそれぞれ結ぶピッチ変換用の複数の第３の導電路部分を有するように形成されているので、第１の回路基板と第２の回路基板の電極間ピッチが違っていても、この直方体状接続子の導電路間ピッチの異なる複数の第１の導電路部分と複数の第２の導電路部分で電気的接続を容易に行うことができる。その他の効果は、前述した電極間ピッチが実質的に等しい第１の回路基板と第２の回路基板とを接続する回路基板相互接続用コネクタ装置と同様になっている。
【００１７】
また本発明の更に他の回路基板相互接続用コネクタ装置では、直方体状接続子の変わりに円柱状接続子を用いている。この円柱状接続子は、円柱状をなしていて円筒状周面と対向する二面を有する絶縁基体と、この絶縁基体の円筒状周面上に、対向する二面が並ぶ方向に所定の絶縁間隔を隔てて並設された環状の複数の導電路とを備え、これら複数の導電路間の導電路間ピッチが電極間ピッチと実質的に等しくなるように設けられている。その他の構成は、前述した電極間ピッチが実質的に等しい第１の回路基板と第２の回路基板とを接続する回路基板相互接続用コネクタ装置とほぼ同様になっている。
【００１８】
このような構造の回路基板相互接続用コネクタ装置は、直方体状接続子の変わりに円柱状接続子を用いることにより、前述した電極間ピッチが実質的に等しい第１の回路基板と第２の回路基板とを接続する回路基板相互接続用コネクタ装置と同様な効果を得ることができる。
【００１９】
コネクタハウジングが、接続子の一方の面を露出させた状態でこの接続子を収容する第１の収容室と、第１の収容室と連通するように形成されて基板部分を収容する第２の収容室と、外部から第２の収容室に基板部分を導入する基板部分導入口とを有するハウジング本体と、第２の収納室内に収納されて、基板部分を接続子に向かって押し付ける押圧手段とを備えていると、このコネクタハウジングによって接続子の第１の回路基板に対する位置決めと、この接続子に対する第２の回路基板の位置決めと、基板部分を接続子に向かって押し付ける押圧手段の位置決めとを容易に行うことができる。
【００２０】
押圧手段が、バネ力または弾性力により基板部分を直方体状接続子に向かって押し付けるように構成されていると、基板部分を直方体状接続子に向かって押し付ける力を容易に得ることができる。
【００２１】
また本発明の別のタイプの回路基板相互接続用コネクタ装置では、雄型コネクタ部材と雌型コネクタ部材とを有する。雄型コネクタ部材は、回路基板の電極間ピッチと実質的に等しい導電路間ピッチを持って形成されて複数の第１の接続用電極と接続される複数の第１の導電路を有する第１の接続子を備えている。雌型コネクタ部材は、回路基板の電極間ピッチと実質的に等しい導電路間ピッチを持って形成されて複数の第２の接続用電極と接続される複数の第２の導電路を有する第２の接続子を備えている。雄型コネクタ部材と雌型コネクタ部材とは、雄型コネクタ部材が雌型コネクタ部材に嵌合されたときに、第１の接続子の複数の第１の導電路の一部と第２の接続子の複数の第２の導電路の一部とがそれぞれ接触するように構成されている。第１の接続子は、連続する四面と対向する二面を有する直方体状の絶縁基体と、この絶縁基体の連続する四面中の少なくとも連続する二面上に、対向する二面が並ぶ方向に所定の絶縁間隔を隔てて並設された複数の第１の導電路とを備えた構造を有している。少なくとも連続する二面のうちの一面に形成された複数の第１の導電路の一部が、第１の接続用電極に接続されている。雄型コネクタ部材は、第１の接続子の絶縁基体の連続する二面のうちの残りの一面上に形成された複数の第１の導電路の一部が、雌型コネクタ部材の複数の第２の導電路と接触する複数の第１の接触部分を形成するように構成されている。第２の接続子は、連続する四面と対向する二面を有する直方体状の絶縁基体と、この絶縁基体の連続する四面中の少なくとも連続する二面上に、対向する二面が並ぶ方向に所定の絶縁間隔を隔てて並設された複数の第２の導電路とを備えた構造を有している。連続する二面のうちの一面に形成された複数の第２の導電路の一部が、複数の第２の接続用電極に接続されている。雌型コネクタ部材は、第２の接続子の絶縁基体の連続する二面のうちの残りの一面上に形成された複数の第２の導電路の一部が、雄型コネクタ部材の複数の第１の接触部分と接触する複数の第２の接触部分を形成するように構成されている。雄型コネクタ部材が雌型コネクタ部材に嵌合された状態で、複数の第１の接触部分と複数の第２の接触部分とが接触状態になっている。
【００２２】
このような構造の回路基板相互接続用コネクタ装置では、雄型コネクタ部材と雌型コネクタ部材とを嵌め合わせて接続するので、雄型コネクタ部材が持つ第１の接続子の複数の第１の導電路の一部と雌型コネクタ部材が持つ第２の接続子の複数の第２の導電路の一部とを相互に位置決めしてそれぞれ接触させることができる。雄型コネクタ部材の第１の接続子は、連続する四面と対向する二面を有する直方体状の絶縁基体と、この絶縁基体の連続する四面中の少なくとも連続する二面上に、対向する二面が並ぶ方向に所定の絶縁間隔を隔てて並設された複数の第１の導電路とを備えた構造を有し、雌型コネクタ部材第２の接続子は、連続する四面と対向する二面を有する直方体状の絶縁基体と、この絶縁基体の連続する四面中の少なくとも連続する二面上に、対向する二面が並ぶ方向に所定の絶縁間隔を隔てて並設された複数の第２の導電路とを備えた構造を有しているので、これらの直方体状の絶縁基体に設ける複数の導電路間の導電路間ピッチを、回路基板の電極間ピッチと実質的に等しくなるように容易に設けることができる。このため、回路基板側の電極間ピッチに絶縁基体の表面の導電路間ピッチを容易に合わせることができる。また、絶縁基体の表面の導電路間ピッチは、千鳥配置ではないので間隔が狭くなり、導電路の配列方向に省スペース化が図れて、実装面積を小さくすることができる。それゆえ本発明によれば、小型のコネクタ装置を容易に実現することができる。
【００２３】
また、雄型コネクタ部材と雌型コネクタ部材とを有する回路基板相互接続用コネクタ装置では、雌型コネクタ部材を、電極間ピッチと実質的に等しい導電路間ピッチを持って形成されて複数の第２の接続用電極と接続される複数の第２の導電路を有する第２の接続子と、電極間ピッチと実質的に等しい導電路間ピッチを持って形成されて複数の第２の接続用電極と接続される複数の第３の導電路を有する第３の接続子とを備えた構造にすることができる。この場合、雄型コネクタ部材と雌型コネクタ部材とは、雄型コネクタ部材が雌型コネクタ部材に嵌合されたときに、第１の接続子の複数の第１の導電路の一部と第２の接続子の複数の第２の導電路の一部及び第３の接続子の複数の第３の導電路の一部がそれぞれ接触するように構成されている。雄型コネクタ部材の第１の接続子は、連続する四面と対向する二面を有する直方体状の絶縁基体と、絶縁基体の連続する四面中の少なくとも連続する三面上に、対向する二面が並ぶ方向に所定の絶縁間隔を隔てて並設された複数の第１の導電路とを備えた構造を有しており、少なくとも連続する三面のうちの中間に位置する一面に形成された複数の第１の導電路の一部が第１の回路基板の第１の接続用電極に接続されている。雄型コネクタ部材は、第１の接続子の絶縁基体の連続する三面のうちの残りの二面にそれぞれ形成された複数の第１の導電路の一部が、雌型コネクタ部材の複数の第２の導電路と接触する複数の第１及び第２の接触部分を形成するように構成されている。第２の接続子は、連続する四面と対向する二面を有する直方体状の絶縁基体と、この絶縁基体の連続する四面中の少なくとも連続する二面上に、対向する二面が並ぶ方向に所定の絶縁間隔を隔てて並設された複数の第２の導電路とを備えた構造を有している。連続する二面のうちの一面に形成された複数の第２の導電路の一部が第２の回路基板の複数の第２の接続用電極の一部に接続されている。第３の接続子は、連続する四面と対向する二面を有する直方体状の絶縁基体と、この絶縁基体の連続する四面中の少なくとも連続する二面上に、対向する二面が並ぶ方向に所定の絶縁間隔を隔てて並設された複数の第３の導電路とを備えた構造を有している。連続する二面のうちの一面に形成された複数の第３の導電路の一部が第２の回路基板の複数の第２の接続用電極の一部に接続されている。雌型コネクタ部材は、第２の接続子の絶縁基体の連続する二面のうちの残りの一面上に形成された複数の第２の導電路の一部及び第３の接続子の絶縁基体の連続する二面のうちの残りの一面上に形成された複数の第３の導電路の一部が、雄型コネクタ部材の第１及び第２の接触部分と接触する複数の第３及び第４の接触部分を形成するように構成されている。雄型コネクタ部材が雌型コネクタ部材に嵌合された状態で、複数の第１及び第２の接触部分と複数の第３及び第４の接触部分とが接触状態になっている。
【００２４】
このような構造の回路基板相互接続用コネクタ装置は、雄型コネクタ部材の第１の接続子を雌型コネクタ部材の第２の接続子と第３の接続子の間に嵌め合わせることにより、第１の接続子の複数の第１の導電路の一部と第２の接続子の複数の第２の導電路の一部及び第３の接続子の複数の第３の導電路の一部がそれぞれ接触するようになる。このため第１の接続子を第２の接続子と第３の接続子の間に嵌め合わせることにより、第１の接続子につながる第１の回路基板上の複数の第１の接続用電極と第２の接続子及び第３の接続子につながる第２の回路基板上の複数の第２の接続用電極を電気的に接続することができる。この場合、第１の接続子の複数の第１の導電路を、絶縁基体の連続する四面上に設け、この連続する四面上の複数の第１の導電路を、連続する四面上で対向する二面の箇所でそれぞれ２分割し、雄型コネクタ部材に接続する第１の回路基板上の複数の第１の接続用電極を、独立させて対向状態で並設し、且つ雌型コネクタ部材に接続する第２の回路基板上の複数の第２の接続用電極を、独立させて対向状態で並設することにより、第１の回路基板上の並設された複数の第１の接続用電極と第２の回路基板上の並設された複数の第２の接続用電極とを相互に電気的に接続することができる。その他の効果は、前述した第１の接続子を有する雄型コネクタ部材と第２の接続子を有する雌型コネクタ部材とを備えた回路基板相互接続用コネクタ装置と同様である。
【発明の効果】
【００２５】
本発明に係る回路基板相互接続用コネクタ装置は、連続する四面と対向する二面を有する直方体状の絶縁基体と、この絶縁基体の連続する四面中の少なくとも連続する三面上に、対向する二面が並ぶ方向に所定の絶縁間隔を隔てて並設された複数の導電路とを備えた直方体状接続子を用いるので、この直方体状の絶縁基体に設ける複数の導電路間の導電路間ピッチを、回路基板の電極間ピッチと実質的に等しくなるように容易に設けることができる。このため、回路基板側の電極間ピッチに絶縁基体の表面の導電路間ピッチを容易に合わせることができる。また、絶縁基体の表面の導電路間ピッチは、千鳥配置ではないので間隔が狭くなり、導電路の配列方向に省スペース化が図れて、実装面積を小さくすることができる。それゆえ本発明によれば、小型のコネクタ装置を容易に実現することができる。さらに、このコネクタ装置では、直方体状接続子を収容した状態で第１の回路基板に取り付けられるコネクタハウジングを用い、このコネクタハウジングは、直方体状接続子の連続する三面のうちの対向する二面の一方の面上に設けられた複数の導電路の部分が、第１の回路基板に設けられた複数の第１の接続用電極に電気的に接続されることを許容するようになっており、また、第２の回路基板の複数の第２の接続用電極が設けられた基板部分を受け入れて、直方体状接続子の連続する三面のうちの対向する二面の他方の面上に設けられた複数の導電路の部分と複数の第２の接続用電極とが対向する位置で基板部分を保持するようになっているので、このコネクタハウジングによる位置決め作用で第１の回路基板の複数の第１の接続用電極と第２の回路基板の複数の第２の接続用電極とを容易に電気的に接続することができる。かつまた、直方体状接続子の連続する三面のうちの対向する二面の他方の面上に設けられた複数の導電路の部分に、第２の回路基板の複数の第２の接続用電極を確実に接触させることができる。
【００２６】
また本発明の別のタイプの回路基板相互接続用コネクタ装置では、雄型コネクタ部材と雌型コネクタ部材とを嵌め合わせて接続するので、雄型コネクタ部材が持つ第１の接続子の複数の第１の導電路の一部と雌型コネクタ部材が持つ第２の接続子の複数の第２の導電路の一部とを相互に位置決めしてそれぞれ接触させることができる。雄型コネクタ部材の第１の接続子は、連続する四面と対向する二面を有する直方体状の絶縁基体と、この絶縁基体の連続する四面中の少なくとも連続する二面上に、対向する二面が並ぶ方向に所定の絶縁間隔を隔てて並設された複数の第１の導電路とを備えた構造を有し、雌型コネクタ部材第２の接続子は、連続する四面と対向する二面を有する直方体状の絶縁基体と、この絶縁基体の連続する四面中の少なくとも連続する二面上に、対向する二面が並ぶ方向に所定の絶縁間隔を隔てて並設された複数の第２の導電路とを備えた構造を有しているので、これらの直方体状の絶縁基体に設ける複数の導電路間の導電路間ピッチを、回路基板の電極間ピッチと実質的に等しくなるように容易に設けることができる。このため、回路基板側の電極間ピッチに絶縁基体の表面の導電路間ピッチを容易に合わせることができる。また、絶縁基体の表面の導電路間ピッチは、千鳥配置ではないので間隔が狭くなり、導電路の配列方向に省スペース化が図れて、実装面積を小さくすることができる。それゆえ本発明によれば、小型のコネクタ装置を容易に実現することができる。
【発明を実施するための最良の形態】
【００２７】
以下、本発明を実施するための最良の形態を、図面に示した各実施例により詳細に説明する。
【００２８】
図１乃至図５は本発明に係る回路基板相互接続用コネクタ装置の第１実施例を示したものである。ここで、図１は本例の回路基板相互接続用コネクタ装置で接続の対象とする第１の回路基板と第２の回路基板の部分正面図、図２は本例の回路基板相互接続用コネクタ装置の斜視図、図３（Ａ）及び（Ｂ）は本例で用いる直方体状接続子の斜視図及び複数の導電路を加工する前の直方体状接続子の斜視図、図４（Ａ）及び（Ｂ）は本例で用いるコネクタハウジング内に直方体状接続子を収容した状態の斜視図及びコネクタハウジングの開口部に嵌められる押圧部材の斜視図、図５は内部に直方体状接続子を収容したコネクタハウジングの縦断面図である。
【００２９】
本例の回路基板相互接続用コネクタ装置は、図１に示すように、第１の回路基板１の複数の第１の接続用電極３・・・と、第２の回路基板５の複数の第２の接続用電極７・・・とを電気的に接続するために用いられるものである。第１の回路基板１は、その表面に０．２ｍｍ以下の電極間ピッチｐを持って並設された複数の第１の接続用電極３・・・を有する。また、第２の回路基板５は、その表面に０．２ｍｍ以下の電極間ピッチｐを持って並設された複数の第２の接続用電極７・・・を有する。本例の第１の回路基板１上に並設された第１の接続用電極３・・・の電極間ピッチｐと、第２の回路基板５上に並設された第２の接続用電極７・・・の電極間ピッチｐは等しくなっている。第２の回路基板５は、本例では幅が狭いフレキシブルの回路基板となっている。なお本発明を適用するのに好ましい電極間ピッチｐは、例えば０．２ｍｍ以下の電極間ピッチであるが、電極間ピッチが０．２ｍｍより大きくなる場合においても、技術的に本発明を提供することは可能である。
【００３０】
本例の回路基板相互接続用コネクタ装置は、図３（Ａ）に示す直方体状接続子９と、図２及び図４（Ａ）に示すコネクタハウジング１１とを用いる。
【００３１】
直方体状接続子９は、図３（Ａ）に示すように、直方体状をしたセラミック製の絶縁基体１３を有る。絶縁基体１３は、連続する四面１３ａ〜１３ｄと対向する二面１３ｅ及び１３ｆを有する。この絶縁基体１３の連続する四面１３ａ〜１３ｄ中の少なくとも連続する三面１３ａ〜１３ｃ上に、対向する二面１３ｅ及び１３ｆが並ぶ方向に所定の絶縁間隔１５・・・を隔てて並設された複数の導電路１７・・・とを備えている。本例では、連続する四面１３ａ〜１３ｄ上に、対向する二面１３ｅ及び１３ｆが並ぶ方向に所定の絶縁間隔１５・・・を隔てて並設された複数の導電路１７・・・とを備えている。複数の導電路１７・・・間の導電路間ピッチＰは、回路基板１及び５の電極間ピッチｐと実質的に等しくなるように設けられている。
【００３２】
このような直方体状接続子９は、図３（Ｂ）に示すように、絶縁基体１３の連続する四面１３ａ〜１３ｄの全面に、印刷、メッキ、スパッタリング等の手段で、例えば金、銀、銅、銅・ニッケル合金、金・銀合金等の高導電率材料からなる導電部１７ｍを面状に形成し、この導電部１７ｍを、対向する二面１３ｅ及び１３ｆが並ぶ方向に所定の絶縁間隔１５・・・が形成されるように、周方向にレーザー等で取り除くことにより複数の導電路１７・・・を形成する。例えば、レーザー等で絶縁間隔１５・・・の幅を２０μｍ、導電路１７・・・の幅を８０μｍにして、これを０．１ｍｍのピッチで繰り返すことで、図３（Ａ）に示す直方体状接続子９を形成する。導電路１７・・・の幅を８０μｍより小さくすることで、０．１ｍｍのピッチ以下のピッチも可能になる。
【００３３】
コネクタハウジング１１は、液晶ポリマー製であって、図５に示すように、直方体状接続子９の一方の面１３ａを露出させた状態でこの直方体状接続子９を収容する第１の収容室１１ａと、この第１の収容室１１ａと連通するように形成されて第２の回路基板５の基板部分５ａを収容する第２の収容室１１ｂと、外部から第２の収容室１１ｂに基板部分５ａを導入する基板部分導入口１９とを有する。
【００３４】
このコネクタハウジング１１は、図２及び図４（Ａ）に示すように、直方体状接続子９を第１の収容室１１ａに位置決めして収容した状態で第１の回路基板１に取り付けられる。コネクタハウジング１１の第１の回路基板１に対する取り付けは、コネクタハウジング１１の四隅の底面を第１の回路基板１に接着して固定するか、コネクタハウジング１１の四隅にフックを突設して、これらフックを第１の回路基板１の４つの貫通孔に通して裏面に係止させること等により行う。コネクタハウジング１１を第１の回路基板１に取り付けるに際しては、コネクタハウジング１１内に収容した直方体状接続子９の複数の導電路１７・・・を第１の回路基板１の複数の第１の接続用電極３・・・に合致させて加圧接触させるか、直方体状接続子９の複数の導電路１７・・・を導電性接着剤を介して第１の回路基板１の複数の第１の接続用電極３・・・に合致させて重ねて接着する。
【００３５】
このコネクタハウジング１１は、内蔵する直方体状接続子９の連続する三面１３ａ〜１３ｃのうちの対向する二面１３ａ及び１３ｃの一方の面１３ａ上に設けられた複数の導電路１７・・・の部分が、第１の回路基板１に設けられた複数の第１の接続用電極３・・・に電気的に接続されることを許容するようになっている。また、コネクタハウジング１１は、第２の回路基板５の複数の第２の接続用電極７・・・が設けられた基板部分５ａを、コネクタハウジング１１の基板部分導入口１９から受け入れて、直方体状接続子９の連続する三面１３ａ〜１３ｃのうちの対向する二面１３ａ及び１３ｃの他方の面１３ｃ上に設けられた複数の導電路１７・・・の部分と第２の回路基板５の複数の第２の接続用電極７・・・とが対向する位置で基板部分５ａを保持するようになっている。基板部分導入口１９の長さは第２の回路基板５の幅と等しくなっていて、コネクタハウジング１１内で第２の回路基板５の位置決めを行うようになっている。さらに、対向する二面１３ａ及び１３ｃの他方の面１３ｃ上に設けられた複数の導電路１７・・・の部分に、第２の回路基板５に設けられた複数の第２の接続用電極７・・・を接触させる構造２１を有している。この接触させる構造２１は、コネクタハウジング１１の上面の開口部２３に被せられて固定される蓋部材２５と、この蓋部材２５の裏面に接着等で固定されてコネクタハウジング１１の開口部２３内に挿入されている第２の回路基板５の基板部分５ａを弾性的に押圧するゴム板等の弾性押圧部材２７とを有する。蓋部材２５は、その裏面の長手方向の両端のフック２９を、コネクタハウジング１１の上面の長手方向の両端のフック孔３１に弾性的に嵌めて固定するようになっている。
【００３６】
このような回路基板相互接続用コネクタ装置は、直方体状接続子９を収容したコネクタハウジング１１を、直方体状接続子９の複数の導電路１７・・・を第１の回路基板１の複数の第１の接続用電極３・・・に前述したように接続して、第１の回路基板１に固定する。かかる状態で、開口部２３を開いたコネクタハウジング１１の基板部分導入口１９に第２の回路基板５の基板部分５ａを、その複数の第２の接続用電極７・・・が下向きにして挿入する。この挿入で、直方体状接続子９はコネクタハウジング１１に位置決めされ、第２の回路基板５の基板部分５ａはコネクタハウジング１１に基板部分導入口１９に位置決めされているので、直方体状接続子９の複数の導電路１７・・・に第２の回路基板５の複数の第２の接続用電極７・・・が合致して個々に重なる。しかる後に、コネクタハウジング１１の開口部２３に接触させる構造２１の蓋部材２５を被せて固定し、この蓋部材２５の裏面のゴム板等の弾性押圧部材２７で第２の回路基板５の基板部分５ａを加圧して直方体状接続子９に密着させ、第２の回路基板５の複数の第２の接続用電極７・・・の直方体状接続子９の複数の導電路１７・・・に対する電気的接続を安定化させる。
【００３７】
図６は本発明に係る回路基板相互接続用コネクタ装置の第２実施例を示した概略横断面である。なお、第１実施例と対応する部分には同一符号を付けて示している。
【００３８】
本例の回路基板相互接続用コネクタ装置では、直方体状接続子９は、直方体状をしたセラミック製の絶縁基体１３を有し、この絶縁基体１３は、連続する四面１３ａ〜１３ｄの内の連続する二面１３ｂ及び１３ｃに前述したと同様に絶縁間隔を隔てて複数の導電路１７・・・が設けられている。絶縁基体１３の面１３ｃに設けられた複数の導電路１７・・・に、第１の回路基板１の複数の第１の接続用電極３・・・が前述した同様に導電性接着剤で接着固定されている。直方体状接続子９は、前述したと同様にコネクタハウジング１１内に収容されている。直方体状接続子９の絶縁基体１３の面１３ｂに設けられたの複数の導電路１７・・・に平行に、コネクタハウジング１１に回路基板挿入口１９が設けられている。この回路基板挿入口１９に第２の回路基板５の基板部分５ａが挿入され、直方体状接続子９複数の導電路１７・・・と第２の回路基板５の複数の第２の接続用電極７・・・とが合致して重ねられ、前述したと同様の構造の接触させる構造２１で加圧して電気的に接続されている。
【００３９】
このように第１の回路基板１と第２の回路基板５とが交差するタイプの回路基板相互接続用コネクタ装置でも、第１実施例と同様の効果を得ることができる。
【００４０】
図７は本発明に係る回路基板相互接続用コネクタ装置の第３実施例で用いる円柱状接続子を示した斜視図である。
【００４１】
この円柱状接続子９Ｅは、セラミック製の円柱状の絶縁基体１３Ｅの外周に、この絶縁基体１３Ｅの対向する二面１３Ｅｅ及び１３Ｅｆが並ぶ方向に所定の絶縁間隔１５Ｅ・・・を隔てて複数の導電路１７Ｅ・・・が並設されている。
【００４２】
このような円柱状接続子９Ｅは、図２や図４（Ａ）及び（Ｂ）に示すタイプの回路基板相互接続用コネクタ装置で、そのコネクタハウジング１１内の直方体状接続子９の代わりに円柱状接続子９Ｅを用いることができる。
【００４３】
またこのような円柱状接続子９Ｅは、図６に示すタイプの回路基板相互接続用コネクタ装置で、そのコネクタハウジング１１内の直方体状接続子９の代わりに円柱状接続子９Ｅを用いることができる。
【００４４】
図８乃至図１０は本発明に係る回路基板相互接続用コネクタ装置の第４実施例を示したものである。ここで、図８は本例の回路基板相互接続用コネクタ装置で接続の対象とする第１の回路基板と第２の回路基板の部分正面図、図９は本例の回路基板相互接続用コネクタ装置で用いる直方体状接続子の斜視図、図１０（Ａ）乃至（Ｃ）は本例の直方体状接続子が持つ連続した三面の導電路の各部分の各面図である。この第４実施例の回路基板相互接続用コネクタ装置の他の部分は、第１例と同様になっている。
【００４５】
本例の回路基板相互接続用コネクタ装置では、第１の回路基板１にはその表面に０．２ｍｍ以下の第１の電極間ピッチｐ´を持って形成された複数の第１の接続用電極３・・・が並設されている。また、第２の回路基板５にはその表面に０．２ｍｍ以下で第１の電極間ピッチｐ´とは異なる第２の電極間ピッチｐを持って形成された複数の第２の接続用電極７・・・が並設されている。本例では、第１の回路基板１の複数の第１の接続用電極３・・・の第１の電極間ピッチｐ´は、第２の回路基板５の複数の第２の接続用電極７・・・の第１の電極間ピッチｐより大きく形成されている。ここで、第１の電極間ピッチｐ´は０．４ｍｍとなっており、異なる第２の電極間ピッチｐは０．２ｍｍとなっている。なお、第１の電極間ピッチｐ´と第２の電極間ピッチｐは、これに限定されるものではなく、例えば第１の電極間ピッチｐ´を０．３５ｍｍとし、第２の電極間ピッチｐを０．１５ｍｍとしてもよい。
【００４６】
本例の回路基板相互接続用コネクタ装置は、直方体状接続子９´と前述した第１例と同様な構造のコネクタハウジング１１（図示せず）とを具備する。
【００４７】
直方体状接続子９´は、連続する四面１３ａ〜１３ｄと対向する二面１３ｅ及び１３ｆを有する直方体状をしたセラミック製の絶縁基体１３と、この絶縁基体１３の連続する四面１３ａ〜１３ｄ中の少なくとも連続する三面１３ａ〜１３ｃ上に、対向する二面１３ｅ及び１３ｆが並ぶ方向にそれぞれ絶縁間隔１５・・・を隔てて並設された複数の導電路１７・・・とを備えている。複数の導電路１７・・・は、連続する三面１３ａ〜１３ｃ上の対向する二面１３ａ及び１３ｃの一方の面１３ａ上に第１の電極間ピッチｐ´に相当する第１の導電路間ピッチｐ´を持って形成された複数の第１の導電路部分１７ａ・・・を有し、また複数の導電路１７・・・は連続する三面１３ａ〜１３ｃ上の対向する二面１３ａ及び１３ｃの他方の面１３ｃ上に第２の電極間ピッチｐに相当する第２の導電路間ピッチｐを持って形成された複数の第２の導電路部分１７ｂ・・・を有し、さらに複数の導電路１７・・・は連続する三面１３ａ〜１３ｃ上の残りの一面１３ｂ上には、複数の第１の導電路部分１７ａ・・・と複数の第２の導電路部分１７ｂ・・・とをそれぞれ結ぶピッチ変換用の複数の第３の導電路部分１７ｃ・・・を有するように形成されている。その他の構成は、前述した電極間ピッチが実質的に等しい第１の回路基板１と第２の回路基板５とを接続する回路基板相互接続用コネクタ装置と同様になっている。
【００４８】
このような構造の回路基板相互接続用コネクタ装置も、前記した第１実施例の回路基板相互接続用コネクタ装置と同様にして、第１の回路基板１の複数の第１の接続用電極３・・・と、第２の回路基板５の複数の第２の接続用電極７・・・とを電気的に接続する。この場合、この第４実施例では、第１の回路基板１の複数の第１の接続用電極３・・・と、第２の回路基板５の複数の第２の接続用電極７・・・との電極間ピッチが違っていても、直方体状接続子９´の連続する三面１３ａ〜１３ｃ上の対向する二面１３ａ及び１３ｃの一方の面１３ａ上に第１の電極間ピッチｐ´に相当する第１の導電路間ピッチｐ´を持って形成された複数の第１の導電路部分１７ａ・・・を有し、また複数の導電路１７・・・は連続する三面１３ａ〜１３ｃ上の対向する二面１３ａ及び１３ｃの他方の面１３ｃ上に第２の電極間ピッチｐに相当する第２の導電路間ピッチｐを持って形成された複数の第２の導電路部分１７ｂ・・・を有し、さらに複数の導電路１７・・・は連続する三面１３ａ〜１３ｃ上の残りの一面１３ｂ上には、複数の第１の導電路部分１７ａ・・・と複数の第２の導電路部分１７ｂ・・・とをそれぞれ結ぶピッチ変換用の複数の第３の導電路部分１７ｃ・・・を有するように形成されているで、電極間ピッチの異なる第１の回路基板１と第２の回路基板５とを接続することができる。その他の効果は、前述した第１実施例と同様である。
【００４９】
図１１（Ａ）及び（Ｂ）と図１２（Ａ）及び（Ｂ）は本発明に係る回路基板相互接続用コネクタ装置の第５実施例を示したものである。ここで、図１１（Ａ）及び（Ｂ）は本例で用いる雄型コネクタ部材の斜視図及びその横断端面図、図１２（Ａ）及び（Ｂ）は本例で用いる雌型コネクタ部材の斜視図及びそのＸ−Ｘ線端面図である。
【００５０】
本例の回路基板相互接続用コネクタ装置は、前述した第１実施例で用いた、第１の回路基板１の０．２ｍｍ以下の電極間ピッチｐの複数の第１の接続用電極３・・・と、第２の回路基板５の０．２ｍｍ以下の電極間ピッチｐの複数の第２の接続用電極７・・・とを電気的に接続するために用いる他の構造を示したものである。
【００５１】
この回路基板相互接続用コネクタ装置は、図１１（Ａ）及び（Ｂ）に示すように、電極間ピッチｐと実質的に等しい導電路間ピッチｐを持って形成されて複数の第１の接続用電極３・・・と接続される複数の第１の導電路３３・・・を有する第１の接続子３５を備えた雄型コネクタ部材３７と、図１２（Ａ）及び（Ｂ）に示すように、電極間ピッチｐと実質的に等しい導電路間ピッチｐを持って形成されて複数の第２の接続用電極７・・・と接続される複数の第２の導電路３９・・・を有する第２の接続子４１を備えた雌型コネクタ部材４３とを有する。
【００５２】
雄型コネクタ部材３７と雌型コネクタ部材４３とは、雄型コネクタ部材３７が雌型コネクタ部材４３に嵌合されたときに、第１の接続子３５の複数の第１の導電路３３・・・の一部と第２の接続子４１の複数の第２の導電路３９・・・の一部とがそれぞれ接触するように構成されている。
【００５３】
第１の接続子３５は、連続する四面４５ａ〜４５ｄと対向する二面４５ｅ及び４５ｆを有するセラミック製の直方体状の絶縁基体４５と、この絶縁基体４５の連続する四面４５ａ〜４５ｄ中の少なくとも連続する二面４５ａ及び４５ｂ上に、対向する二面４５ｅ及び４５ｆが並ぶ方向に所定の絶縁間隔４７を隔てて並設された複数の第１の導電路３３・・・とを備えた構造を有しており、しかも絶縁基体４５の対向する二面４５ｅ及び４５ｆの端部には位置決め用フランジ部４９がそれぞれ一体に設けられている。
【００５４】
このような第１の接続子３５は、少なくとも連続する二面４５ａ及び４５ｂのうちの一面４５ａに形成された複数の第１の導電路３３・・・の一部が第１の回路基板１の第１の接続用電極３・・・に導電性接着剤をそれぞれ介して接着されて接続されている。
【００５５】
雄型コネクタ部材３７は、第１の接続子３５の絶縁基体４５の連続する二面４５ａ及び４５ｂのうちの残りの一面４５ｂ上に形成された複数の第１の導電路３３・・・の一部が、雌型コネクタ部材４３の複数の第２の導電路３９・・・と接触する複数の第１の接触部分３３ａ・・・を形成するように構成されている。
【００５６】
第２の接続子４１は、連続する四面５１ａ〜５１ｄと対向する二面５１ｅ及び５１ｆを有する直方体状の絶縁基体５１と、この絶縁基体５１の連続する四面５１ａ〜５１ｄ中の少なくとも連続する三面５１ｂ〜５１ｄ上に、対向する二面５１ｅ及び５１ｆが並ぶ方向に所定の絶縁間隔５３を隔てて並設された複数の第２の導電路３９・・・とを備えた構造を有している。なお、この例では複数の第２の導電路３９・・・は、少なくとも絶縁基体５１の連続する二面５１ｃ及び５１ｄに存在すればよい。
【００５７】
雌型コネクタ部材４３は、第２の接続子４１を周壁の一部として、雄型コネクタ部材３７を嵌め込むコネクタハウジング５５が、第２の接続子４１と一体に形成されている。コネクタハウジング５５内には、第２の接続子４１の側面に第１の接続子３５を嵌め込む第１の接続子嵌め込み室５７が貫通して設けられている。この第１の接続子嵌め込み室５７は、雄型コネクタ部材３７の位置決め用フランジ部４９も一緒に嵌め込める形状となっている。即ち、第１の接続子嵌め込み室５７は、位置決め用フランジ部嵌め込み部５７ａをそれぞれ有していて、これら位置決め用フランジ部嵌め込み部５７ａで雄型コネクタ部材３７の位置決めを行うようになっている。
【００５８】
このような雌型コネクタ部材４３は、その第１の接続子嵌め込み室５７に第１の接続子３５を嵌め込んだ際に、第２の接続子４１の連続する二面５１ｃ及び５１ｄのうちの一面５１ｃに形成された複数の第２の導電路３９・・・の一部が第２の回路基板５の複数の第２の接続用電極７・・・に接続されるようになっている。このため雌型コネクタ部材４３は、第２の接続子４１の絶縁基体５１の連続する二面５１ｃ及び５１ｄのうちの残りの一面５１ｄ上に形成された複数の第２の導電路３９・・・の一部が、雄型コネクタ部材３７の複数の第１の接触部分３３ａ・・・と接触する複数の第２の接触部分３９ａ・・・を形成するように構成されている。
【００５９】
雄型コネクタ部材３７が雌型コネクタ部材４３に嵌合された状態で、複数の第１の接触部分３３ａ・・・と複数の第２の接触部分３９ａ・・・とが接触状態になっている。
【００６０】
雌型コネクタ部材４３は、第２の接続子４１の絶縁基体５１の連続する二面５１ｃ及び５１ｄのうちの一面５１ｃの複数の第２の導電路３９・・・の一部が第２の回路基板５の第２の接続用電極７・・・に導電性接着剤をそれぞれ介して接着されて接続されている。
【００６１】
このような複数の第１の接触部分３３ａ・・・と複数の第２の接触部分３９ａ・・・とが接触状態を得るためには、第１の接続子３５の絶縁基体４５と共にコネクタハウジング５５をセラミックで形成して、第１の接続子嵌め込み室５７を正確に形成してもよく、或いは第１の接続子３５の絶縁基体４５に接続してコネクタハウジング５５を形成する部材５５ａをゴム弾性の素材で形成し、第１の接続子嵌め込み室５７を第１の接続子３５より小さめに形成し、この第１の接続子嵌め込み室５７に第１の接続子３５を圧入してもよい。
【００６２】
かかる回路基板相互接続用コネクタ装置は、雄型コネクタ部材３７の複数の第１の導電路３３・・・を前述したように第１の回路基板１の複数の第１の接続用電極３・・・に接続して固定し、また雌型コネクタ部材４３の第２の接続子４１の複数の第２の導電路３９・・・を前述したように第２の回路基板５の複数の第２の接続用電極７・・・に接続して固定し、しかる後に雄型コネクタ部材３７を雌型コネクタ部材４３の第１の接続子嵌め込み室５７に嵌め込む。この操作で、第１の回路基板１の複数の第１の接続用電極３・・・と第２の回路基板５の複数の第２の接続用電極７・・・とが、雄型コネクタ部材３７の複数の第１の導電路３３・・・と雌型コネクタ部材４３の複数の第２の導電路３９・・・を介して電気的に接続される。その他の効果は、前述した第１実施例と同様である。
【００６３】
図１３乃至図１６は本発明に係る回路基板相互接続用コネクタ装置の第６実施例を示したものである。ここで、図１３は本例の回路基板相互接続用コネクタ装置で接続の対象とする第１の回路基板と第２の回路基板の部分正面図、図１４（Ａ）及び（Ｂ）は本例の回路基板相互接続用コネクタ装置で用いる雄型コネクタ部材の斜視図及び横断端面図、図１５（Ａ）及び（Ｂ）は本例の回路基板相互接続用コネクタ装置で用いる雌型コネクタ部材の斜視図及び（Ａ）のＹ−Ｙ線端面図、図１６は雄型コネクタ部材を取り付けた第１の回路基板と雄型コネクタ部材を取り付けた第２の回路基板とを接続する過程を示す部分破断の斜視図である。なお、前述した第５実施例と対応する部分には、第５実施例で用いた符号に１００を加えた符号を用いて示している。
【００６４】
本例の回路基板相互接続用コネクタ装置は、図１３に示すように、表面に０．２ｍｍ以下の電極間ピッチｐを持って並設された複数の第１の接続用電極１０３・・・及び１０３´・・・を有する第１の回路基板１０１と、表面に０．２ｍｍ以下の電極間ピッチｐを持って並設された複数の第２の接続用電極１０７・・・及び１０７´・・・を有する第２の回路基板１０５とを電気的に接続するためのものである。複数の第１の接続用電極１０３・・・及び１０３´・・・は図示しない２組の回路や電子機器等に接続され、複数の第２の接続用電極１０７・・・及び１０７´・・・図示しない別の２組の回路や電子機器等に接続されている。複数の第１の接続用電極１０３・・・及び１０３´・・・と、複数の第２の接続用電極１０７・・・及び１０７´・・・とは、それぞれの端面間に隙間１５９及び１６１をそれぞれ開けて並設されている。
【００６５】
この回路基板相互接続用コネクタ装置は、図１４（Ａ）及び（Ｂ）に示すように、第１の回路基板１０１の電極間ピッチｐと実質的に等しい導電路間ピッチｐを持って形成されて複数の第１の接続用電極１０３・・・及び１０３´・・・と接続される複数の第１の導電路１３３・・・及び１３３´・・・を有する第１の接続子１３５を備えた雄型コネクタ部材１３７を有する。複数の第１の導電路１３３・・・及び１３３´・・・は、それぞれの端部を対向させ両者間に隙間１６３を開けて並設されている。
【００６６】
また、図１５（Ａ）及び（Ｂ）に示すように、第２の回路基板１０５の電極間ピッチｐと実質的に等しい導電路間ピッチｐを持って形成されて複数の第２の接続用電極１０７・・・と接続される複数の第２の導電路１３９・・・を有する第２の接続子１４１と、第２の回路基板１０５の電極間ピッチｐと実質的に等しい導電路間ピッチｐを持って形成されて複数の第２の接続用電極１０７´・・・と接続される複数の第３の導電路１３９´・・・を有する第３の接続子１４１´とを備えた雌型コネクタ部材１４３を有する。
【００６７】
雄型コネクタ部材１３７と雌型コネクタ部材１４３とは、雄型コネクタ部材１３７が雌型コネクタ部材１４３に嵌合されたときに、第１の接続子１３５の複数の第１の導電路１３３・・・及び１３３´・・・の一部と第２の接続子１４１の複数の第２の導電路１３９・・・の一部及び第３の接続子１４１´の複数の第３の導電路１３９´・・・の一部がそれぞれ接触するように構成されている。
【００６８】
第１の接続子１３５は、連続する四面１４５ａ〜１４５ｄと対向する二面１４５ｅ及び１４５ｆを有するセラミック製の直方体状の絶縁基体１４５と、この絶縁基体１４５の連続する四面１４５ａ〜１４５ｄ中の少なくとも連続する三面１４５ｄ、１４５ａ及び１４５ｂ上に、対向する二面１４５ｅ及び１４５ｆが並ぶ方向に所定の絶縁間隔１４７及び１４７´を隔てて並設された複数の第１の導電路１３３・・・及び１３３´・・・とを備えた構造を有しており、少なくとも連続する三面１４５ｄ、１４５ａ及び１４５ｂのうちの中間に位置する一面１４５ａに形成された複数の第１の導電路１３３・・・及び１３３´・・・の一部が第１の回路基板１０１に設けられた第１の接続用電極１０３・・・及び１０３´・・・に接続されている。
【００６９】
雄型コネクタ部材１３７は、第１の接続子１３５の絶縁基体１４５の連続する三面１４５ｄ、１４５ａ及び１４５ｂのうちの残りの二面１４５ｄ及び１４５ｂにそれぞれ形成された複数の第１の導電路１３３・・・及び１３３´・・・の一部が、雌型コネクタ部材１４３の複数の第２の導電路１３９・・・及び第３の導電路１３９´・・・と接触する複数の第１及び第２の接触部分１３３ａ・・・及び１３３ａ´・・・を形成するように構成されている。
【００７０】
第２の接続子１４１は、連続する四面１５１ａ〜１５１ｄと対向する二面１５１ｅ及び１５１ｆを有するセラミック製の直方体状の絶縁基体１５１と、この絶縁基体１５１の連続する四面１５１ａ〜１５１ｄ中の少なくとも連続する二面１５１ｃ及び１５１ｄ上、本例では連続する三面１５１ｃ、１５１ｃ及び１５１ｄ上に、対向する二面１５１ｅ及び１５１ｆが並ぶ方向に所定の絶縁間隔１５３・・・を隔てて並設された複数の第２の導電路１３９・・・とを備えた構造を有している。連続する二面１５１ｃ及び１５１ｄのうちの一面１５１ｃに形成された複数の第２の導電路１３９・・・の一部が第２の回路基板１０５の複数の第２の接続用電極１０７・・・の一部に接続されている。
【００７１】
第３の接続子１４１´は、連続する四面１５１ａ´〜１５１ｄ´と対向する二面１５１ｅ´及び１５１ｆ´を有するセラミック製の直方体状の絶縁基体１５１´と、この絶縁基体１５１´の連続する四面１５１ａ´〜１５１ｄ´中の少なくとも連続する二面１５１ｃ´及び１５１ｄ´上に、本例では連続する三面１５１ｃ´、１５１ｃ´及び１５１ｄ´上に、対向する二面１５１ｅ´及び１５１ｆ´が並ぶ方向に所定の絶縁間隔１５３´・・・を隔てて並設された複数の第３の導電路１３９´・・・とを備えた構造を有している。連続する二面１５１ｃ´及び１５１ｄ´のうちの一面１５１ｃ´に形成された複数の第３の導電路１３９´・・・の一部が第２の回路基板１０５の複数の第２の接続用電極１０７´・・・の一部に接続されている。
【００７２】
雌型コネクタ部材１４３は、間隔をあけて対向配置される第２の接続子１４１と第３の接続子１４１´とを周壁の一部として、雄型コネクタ部材１３７を嵌め込むコネクタハウジング１５５が、第２の接続子１４１及び第３の接続子１４１´と一体に形成されている。本例では、第２の接続子１４１と第３の接続子１４１´とを相互間に間隔をあけて平行に配置し、対向するこれらの両端をそれぞれ部材１５５ａ及び１５５ａで一体に連結してコネクタハウジング１５５が形成されている。このコネクタハウジング１５５内には、第２の接続子１４１と第３の接続子１４１´との対向する側面に第１の接続子１３５を嵌め込む第１の接続子嵌め込み室１５７が貫通して設けられている。この第１の接続子嵌め込み室１５７は、雄型コネクタ部材１３７の位置決め用フランジ部１４９及び１４９も一緒に嵌め込める形状となっている。即ち、第１の接続子嵌め込み室１５７は、位置決め用フランジ部嵌め込み部１５７ａ及び１５７ａをそれぞれ有していて、これら位置決め用フランジ部嵌め込み部１５７ａ及び１５７ａで雄型コネクタ部材１３７の位置決めを行うようになっている。
【００７３】
このような雌型コネクタ部材１４３は、その第１の接続子嵌め込み室１５７に第１の接続子１３５を嵌め込んだ際に、第２の接続子１４１の連続する二面１５１ｃ及び１５１ｄのうちの一面１５１ｃに形成された複数の第２の導電路１３９・・・の一部が第２の回路基板１０５の複数の第２の接続用電極１０７・・・に接続されるようになっている。このため雌型コネクタ部材１４３は、第２の接続子１４１の絶縁基体１５１の連続する二面１５１ｃ及び１５１ｄのうちの残りの一面１５１ｄ上に形成された複数の第２の導電路１３９・・・の一部が、雄型コネクタ部材１３７の複数の第１の接触部分１３３ａ・・・と接触する複数の第２の接触部分１３９ａ・・・を形成するように構成されている。
【００７４】
また、雌型コネクタ部材１４３は、その第１の接続子嵌め込み室１５７に第１の接続子１３５を嵌め込んだ際に、第３の接続子１４１´の連続する二面１５１ｃ´及び１５１ｄ´のうちの一面１５１ｃ´に形成された複数の第２の導電路１３９´・・・の一部が第２の回路基板１０５の複数の第２の接続用電極１０７´・・・に接続されるようになっている。このため雌型コネクタ部材１４３は、第３の接続子１４１´の絶縁基体１５１´の連続する二面１５１ｃ´及び１５１ｄ´のうちの残りの一面１５１ｄ´上に形成された複数の第２の導電路１３９´・・・の一部が、雄型コネクタ部材１３７の複数の第１の接触部分１３３ａ・・・と接触する複数の第２の接触部分１３９ａ´・・・を形成するように構成されている。
【００７５】
雌型コネクタ部材１４３は、第２の接続子１４１の絶縁基体１５１の連続する二面１５１ｃ及び１５１ｄのうちの残りの一面１５１ｄ上に形成された複数の第２の導電路１３９・・・の一部及び第３の接続子１４１´の絶縁基体１５１´の連続する二面１５１ｃ´及び１５１ｄ´のうちの残りの一面１５１ｄ´上に形成された複数の第３の導電路１３９´・・・の一部が、雄型コネクタ部材１３７の第１及び第２の接触部分１３３ａ・・・及び１３３ａ´・・・と接触する複数の第３及び第４の接触部分１３９ａ・・・及び１３９ａ´・・・を形成するように構成されている。
【００７６】
雄型コネクタ部材１３７が雌型コネクタ部材１４３に嵌合された状態で、複数の第１及び第２の接触部分１３３ａ・・・及び１３９ａ´・・・と複数の第３及び第４の接触部分１３９ａ・・・及び１３９ａ´・・・とが接触状態になっている。
【００７７】
このような複数の第１及び第２の接触部分１３３ａ・・・及び１３９ａ´・・・と複数の第３及び第４の接触部分１３９ａ・・・及び１３９ａ´・・・とが接触状態を得るためには、第２及び第３の接続子１４１及び１４１´の絶縁基体１５１及び１５１´と共にコネクタハウジング１５５の部材１５５ａ及び１５５ａをセラミックで形成して、第１の接続子嵌め込み室１５７を正確に形成してもよく、或いは第２の接続子１４１及び第３の接続子１４１´の絶縁基体１５１及び１５１´に接続してコネクタハウジング１５５を形成する部材１５５ａ及び１５５ａをゴム弾性の素材で形成し、第１の接続子嵌め込み室１５７を第１の接続子１３５より小さめに形成し、この第１の接続子嵌め込み室１５７に第１の接続子１３５を圧入してもよい。
【００７８】
この第６実施例においては、雄型コネクタ部材１３７の第１の接続子１３５に設けられている複数の第１の導電路１３３・・・及び１３３´・・・を、隙間１６３を設けずに一体として複数の第１の導電路１３３・・・のみとしてもよい。このような複数の第１の導電路１３３・・・のみの第１の接続子１３５を用いると、雌型コネクタ部材１４３では１組の回路に接続することも、２組の回路に接続することもできる。
【００７９】
なお、図１２及び図１５の実施例においては、雌型コネクタ部材１４３のコネクタハウジング１５５をセラミック等で最初から形成しておいて、後から第２の接続子１４１と第３の接続子１４１´との第２の導電路１３９・・・と第３の導電路１３９´・・・とを形成してもよい。
【図面の簡単な説明】
【００８０】
【図１】本発明に係る回路基板相互接続用コネクタ装置の第１実施例で接続の対象とする第１の回路基板と第２の回路基板の部分正面図である。
【図２】第１実施例の回路基板相互接続用コネクタ装置の斜視図である。
【図３】（Ａ）及び（Ｂ）は、第１実施例で用いる直方体状接続子の斜視図及び複数の導電路を加工する前の直方体状接続子の斜視図である。
【図４】（Ａ）及び（Ｂ）は、第１実施例で用いるコネクタハウジング内に直方体状接続子を収容した状態の斜視図及びコネクタハウジングの開口部に嵌められる押圧部材の斜視図である。
【図５】第１実施例で内部に直方体状接続子を収容したコネクタハウジングの縦断面図である。
【図６】本発明に係る回路基板相互接続用コネクタ装置の第２実施例を示した概略横断面である。
【図７】本発明に係る回路基板相互接続用コネクタ装置の第３実施例で用いる円柱状接続子を示した斜視図である。
【図８】本発明に係る回路基板相互接続用コネクタ装置の第４実施例で接続の対象とする第１の回路基板と第２の回路基板の部分正面図である。
【図９】第４実施例の回路基板相互接続用コネクタ装置で用いる直方体状接続子の斜視図である。
【図１０】（Ａ）乃至（Ｃ）は、第４実施例の直方体状接続子が持つ連続した三面の導電路の各部分の各面図である。
【図１１】（Ａ）及び（Ｂ）は、本発明に係る回路基板相互接続用コネクタ装置の第５実施例で用いる雄型コネクタ部材の斜視図及びその横断端面図である。
【図１２】（Ａ）及び（Ｂ）は、第５実施例で用いる雌型コネクタ部材の斜視図及びそのＸ−Ｘ線端面図である。
【図１３】本発明に係る回路基板相互接続用コネクタ装置の第６実施例で接続の対象とする第１の回路基板と第２の回路基板の部分正面図である。
【図１４】（Ａ）及び（Ｂ）は、第６実施例の回路基板相互接続用コネクタ装置で用いる雄型コネクタ部材の斜視図及び横断端面図である。
【図１５】（Ａ）及び（Ｂ）は、第６実施例の回路基板相互接続用コネクタ装置で用いる雌型コネクタ部材の斜視図及び（Ａ）のＹ−Ｙ線端面図である。
【図１６】第６実施例で雄型コネクタ部材を取り付けた第１の回路基板と雄型コネクタ部材を取り付けた第２の回路基板とを接続する過程を示す部分破断の斜視図である。
【符号の説明】
【００８１】
１、１０１  第１の回路基板
３、１０３、１０３´  第１の接続用電極
５、１０５  第２の回路基板
７、１０７、１０７´  第２の接続用電極
９  直方体状接続子
９Ｅ  円柱状接続子
１１  コネクタハウジング
１１ａ  第１の収容室
１１ｂ  第２の収容室
１３  絶縁基体
１３ａ〜１３ｄ  連続する四面を構成する各面
１３ｅ及び１３ｆ  対向する二面を構成する面
１５  絶縁間隔
１７  導電路
１７ａ  第１の導電路部分
１７ｂ  第２の導電路部分
１７ｃ  第３の導電路部分
１９  基板部分導入口
２１  接触させる構造
２３  開口部
２５  蓋部材
２７  弾性押圧部材
２９  フック
３１  フック孔
３３、１３３、１３３´  第１の導電路
１３３ａ、１３３ａ´  第１及び第２の接触部分
３５、１３５  第１の接続子
３７、１３７  雄型コネクタ部材
３９、１３９  第２の導電路
１３９´  第３の導電路
４１、１４１  第２の接続子
１４１´  第３の接続子
４３、１４３  雌型コネクタ部材
４５、１４５  絶縁基体
４５ａ〜４５ｄ、１４５ａ〜１４５ｄ  四面
４７、１４７、１４７´  絶縁間隔
４９、１４９  位置決め用フランジ部
５１、１５１、１５１´  絶縁基体
５１ａ〜５１ｄ、１５１ａ〜１５１ｄ、１５１ａ´〜１５１ｄ´  四面
５３、１５３、１５３´  絶縁間隔
５５、１５５  コネクタハウジング
１５５ａ  部材
５７、１５７  第１の接続子嵌め込み室
５７ａ、１５７ａ  位置決め用フランジ部嵌め込み部
１５９及び１６１  隙間
１６３  隙間
【図１】
2008091163.tif 000003
【図２】
2008091163.tif 000004
【図３】
2008091163.tif 000005
【図４】
2008091163.tif 000006
【図５】
2008091163.tif 000007
【図６】
2008091163.tif 000008
【図７】
2008091163.tif 000009
【図８】
2008091163.tif 000010
【図９】
2008091163.tif 000011
【図１０】
2008091163.tif 000012
【図１１】
2008091163.tif 000013
【図１２】
2008091163.tif 000014
【図１３】
2008091163.tif 000015
【図１４】
2008091163.tif 000016
【図１５】
2008091163.tif 000017
【図１６】
2008091163.tif 000018